(57)【特許請求の範囲】
【請求項１】
胴部３上端から肩部４を介して口頸部５を起立する容器本体１と、
上記口頸部に、頂壁32から垂下する内周壁33を嵌合させると共に、頂壁外周から、上記胴部と同一横断面形状の外周壁34を垂下するキャップ31と、
上記容器本体底壁２の下面から垂設した第１嵌合筒８外面へ、底板22から起立する第２嵌合筒24を嵌合させると共に、底板外周から上記胴部と同一横断面形状の外筒23を起立して、容器体胴部と外面が面一に形成した袴21とを有し、
上記第１嵌合筒８の内壁面形状を楕円形とすると共に、該楕円形下方の袴底板部分からは、両端部上面を下外方への傾斜面25、25としたガイド板26を起立して、それ等傾斜面下端を、第１嵌合筒内面長径方向両端部の下端内縁へそれぞれ近接させ、
容器本体１に対して袴21を第１嵌合筒８を中心に回動させたとき、第１嵌合筒の下端面が上記傾斜面25、25上へ乗上げすることで容器本体１から袴21が離脱可能に形成したことを特徴とする合成樹脂製容器。
【請求項２】
横断面楕円形状の胴部３上端から上部小径の肩部４を介して、円筒状の口頸部５を起立する容器本体１と、
上記肩部４の外周部上面へ、容器本体胴部と同一横断面形状をなす周壁12下端面を載置させると共に、該周壁上端に付設した内向きフランジ状上壁13のフランジ孔14を円形として該内周面を、肩部４の上部外面へ周設した、口頸部よりも大外径の平面円形の嵌合突条７外面へ回動可能に嵌合させた肩カバー11と、
上記容器本体口頸部外面に、頂壁32から垂設した内周壁33を嵌合させると共に、頂壁外周からは肩カバー周壁12と同一横断面形状の外周壁34を垂下して該外周壁下端面を肩カバー上壁13の外周部上面へ載置するキャップ31と、
上記容器体底壁２の下面から垂設した第１嵌合筒８外面へ、底板22から起立する第２嵌合筒24を嵌合させると共に、底板22外周から容器体胴部と同一横断面形状の外筒23を起立して、容器体胴部と外面面一に形成した袴21とからなり、
上記第１嵌合筒８内面形状を横断面楕円形とすると共に、該楕円形下方の袴底板22部分上面からは、両端部上面を下外方への傾斜面25、25としたガイド板26を起立して、それ等傾斜面下端を第１嵌合筒長径方向両端部の下端内縁へそれぞれ近接させておき、
上記肩カバー11と袴21とは、容器本体に対する肩カバー回動によって肩カバー周壁の下端面が肩部上面へ乗上げすることで、又容器本体に対する袴回動によって第１嵌合筒８の下端面が傾斜面25、25上へ乗上げすることで、肩カバーおよび袴がそれぞれ容器本体から離脱可能に形成したことを特徴とする合成樹脂製容器。
【発明の詳細な説明】
本発明は合成樹脂製の容器に関する。
【０００１】
【従来の技術】
胴部上端から肩部を介して口頸部を起立する容器本体と、その口頸部に嵌合させたキャップとからなる合成樹脂製容器が多用されているが、例えば高価な化粧品収納用の容器には収納物に応じた装飾が必要であり、このような場合には容器体胴部の下端に袴を嵌合させたり、又容器体胴部の上端とキャップとの間の肩部分外面へ肩カバーを装着させることが考えられている。
【０００２】
【発明が解決しようとする課題】
上記のような袴等は、容器の装飾効果を高めるために、通常容器本体とは別の高材質の合成樹脂を使用することとなり、このような容器は、廃棄時分別して各部材を別に回収し、リサイクルに回すことが望まれることとなる。
【０００３】
しかし乍ら各容器成形部材は、容器として使用中各部材が分離しないよう一体的に確実に結合させてあるから廃棄時各部材毎に分離することは極めて困難である。
【０００４】
本発明は容器廃棄時における上記部材ないし部品の分別が容易であるよう設けたものである。
【０００５】
【課題を解決するための手段】
第１の手段として、胴部３上端から肩部４を介して口頸部５を起立する容器本体１と、
上記口頸部に、頂壁32から垂下する内周壁33を嵌合させると共に、頂壁外周から、上記胴部と同一横断面形状の外周壁34を垂下するキャップ31と、
上記容器本体底壁２の下面から垂設した第１嵌合筒８外面へ、底板22から起立する第２嵌合筒24を嵌合させると共に、底板外周から上記胴部と同一横断面形状の外筒23を起立して、容器体胴部と外面が面一に形成した袴21とを有し、
上記第１嵌合筒８の内壁面形状を楕円形とすると共に、該楕円形下方の袴底板部分からは、両端部上面を下外方への傾斜面25、25としたガイド板26を起立して、それ等傾斜面下端を、第１嵌合筒内面長径方向両端部の下端内縁へそれぞれ近接させ、
容器本体１に対して袴21を第１嵌合筒８を中心に回動させたとき、第１嵌合筒の下端面が上記傾斜面25、25上へ乗上げすることで容器本体１から袴21が離脱可能に形成した。
【０００６】
第２の手段として、横断面楕円形状の胴部３上端から上部小径の肩部４を介して、円筒状の口頸部５を起立する容器本体１と、
上記肩部４の外周部上面へ、容器本体胴部と同一横断面形状をなす周壁12下端面を載置させると共に、該周壁上端に付設した内向きフランジ状上壁13のフランジ孔14を円形として該内周面を、肩部４の上部外面へ周設した、口頸部よりも大外径の平面円形の嵌合突条７外面へ回動可能に嵌合させた肩カバー11と、
上記容器本体口頸部外面に、頂壁32から垂設した内周壁33を嵌合させると共に、頂壁外周からは肩カバー周壁12と同一横断面形状の外周壁34を垂下して該外周壁下端面を肩カバー上壁13の外周部上面へ載置するキャップ31と、
上記容器体底壁２の下面から垂設した第１嵌合筒８外面へ、底板22から起立する第２嵌合筒24を嵌合させると共に、底板22外周から容器体胴部と同一横断面形状の外筒23を起立して、容器体胴部と外面面一に形成した袴21とからなり、
上記第１嵌合筒８内面形状を横断面楕円形とすると共に、該楕円形下方の袴底板22部分上面からは、両端部上面を下外方への傾斜面25、25としたガイド板26を起立して、それ等傾斜面下端を第１嵌合筒長径方向両端部の下端内縁へそれぞれ近接させておき、
上記肩カバー11と袴21とは、容器本体に対する肩カバー回動によって肩カバー周壁の下端面が肩部上面へ乗上げすることで、又容器本体に対する袴回動によって第１嵌合筒８の下端面が傾斜面25、25上へ乗上げすることで、肩カバーおよび袴がそれぞれ容器本体から離脱可能に形成した。
【０００７】
【発明の実施の形態】
以下図面について説明すると、１は容器本体で、該容器本体は、底壁２外周から胴部３を起立し、該胴部上端から肩部４を介してキャップ螺合用の口頸部５を起立する。その胴部横断面形状は楕円形状に形成するとよく、図示例でその肩部４は、その外周に巾狭の平板状部4aを設け該平板部内周から低く楕円形状の第１起立壁4bを起立し、該第１起立壁上端から該第１起立壁の短径部分とほぼ同径で横断面円形の第２起立壁4cを起立し、更にそれぞれ内向きフランジを介して円形の第３、第４起立壁4d,4e を起立し、第４起立壁上端の内向きフランジから円筒状の口頸部５を起立している。第１起立壁4b短径部分上方の、第３起立壁側方部分の外面には小間隙をおいて２条の縦条６、６を設け、それ等両縦条間隙を後述肩カバー係合用間隙とし、又第４起立壁4eの上端部外面へは口頸部よりも大外径で平面円形の嵌合突条７を周設している。更に既述底壁２の外周部からは、底壁外周縁との間に小間隙をおいて第１嵌合筒８を垂下している。該筒は上端部外面に小凹溝を周設しており、又その筒内面形状は楕円形に形成している。該筒外面は真円でもよく、又図示のように楕円形でもよい。
【０００８】
上記容器本体上部には肩カバー11を嵌合させている。図示例において該肩カバーは、容器体胴部３と同一横断面形状をなす楕円形の弾性変形可能な周壁12上端に内向きフランジ状上壁13を付設するもので、その周壁下端面を既述肩部４外周の平板状部4a上へ載置させ、又内向きフランジ状上壁13のフランジ孔14を円孔として肩部上部の嵌合突条７外面へ嵌合させている。又周壁12の短径部分内面には、既述肩部第３起立壁に設けた２条の縦条６、６間へ嵌合させる嵌合条15を縦設している。
【０００９】
容器本体１下端には袴21を嵌合させる。該袴は、底板22外周から、容器体胴部と同一横断面形状の外筒23を起立すると共に、既述第１嵌合筒８外面へ嵌合させて第２嵌合筒24をその底板から起立し、更に第１嵌合筒８内面が形成する楕円形下方の底板22部分からは、両端部上面を図３が示すように下外方への傾斜面25、25としたがガイド板26、26を図２のように起立する。図示のように第１、第２嵌合筒を楕円としたときは、少くともその一方は弾性変形可能とする。
【００１０】
図示例では図２が示すように、第１嵌合筒８内面が形成する楕円の長径方向の両側部下方に位置させて一対のガイド板26、26を起立させ、かつそれ等両ガイド板間に補強板27、27を横設したが、その補助板は必ずしも必要ではなく、又上記ガイド板を一枚として上記楕円長径部分に横設させてもよい。ガイド板の傾斜面下端は第１嵌合筒８内面が形成する楕円長径方向の両端部の下端内縁へ近接させる。
【００１１】
31はキャップで、容器体口頸部５外面へ頂壁32から垂下する内周壁33を螺合させると共に、頂壁32外周から垂下する外周壁34を肩カバー上壁13の外周部上面へ載置させている。肩カバーを設けない場合は外周壁34下端面を容器体肩部４の外周部上面へ載置させる。尚既述各部材はそれぞれ適宜合成樹脂材で一体成形する。
【００１２】
上記構成において容器体下端から袴21を外す場合は、容器体胴部３に対して外筒23を持ち、袴21を回動させればよく、すると容器体第１嵌合筒８の下端面がガイド板26の傾斜面25上へ乗り上げることで、第１嵌合筒８外面から第２嵌合筒24が外れることとなり、よって袴21は容器体底壁から分離することとなる。
【００１３】
又肩カバー11を外す場合も、まずキャップ31を外した後、容器体に対して肩カバー11を強制的に回せば、肩カバー周壁12は弾性変形し、その下端面が、肩部４長径方向の端部上面へ乗上げすることで該肩カバーが容器体に対して上昇し、すると肩カバー上壁13のフランジ孔14が容器本体肩部上部の嵌合突条７外面から離脱し、よって該肩カバーを外すことが出来る。
【００１４】
【発明の効果】
本発明は既述構成とするもので、請求項１記載の場合は、容器体底壁２の下面から垂設した第１嵌合筒８の内壁面形状を楕円形とすると共に、その第１嵌合筒外面へ、底板22が起立する第２嵌合筒24を嵌合させて設けた袴21の底板から、両端部上面を下外方への傾斜面25、25としたガイド板26を起立させ、それ等傾斜面の下端を、第１嵌合筒８内面長径方向両端部の下端内縁へ近接させたから、容器本体に対して袴を回動させることで上記傾斜面上へ第１嵌合筒下端面が乗上げ、よって容器体から袴を取り外すことが容易となる。
【００１５】
請求項２の場合は、請求項１の場合と同様に、容器体下端からの袴21の取外しが容易に出来るほか、肩カバー11は内向きフランジ状上壁13のフランジ孔14を円形として、容器体肩部４の上部外面へ周設した、口頸部よりも大外径で平面円形の嵌合突条７外面へ嵌合させたから、肩カバー周壁12および容器本体の肩部４が楕円形状であるに拘らず容器本体に対して回動させることが出来、その肩部は楕円でかつ上部小径としたから、その回動により肩カバー周壁下端を肩部上へ乗上げさせることで容易に肩カバーを外すことが出来る。
【図面の簡単な説明】
【図１】本発明容器を正面からみた半断面図である。
【図２】図１Ａ−Ａ線を矢示方向へみた断面図である。
【図３】図２要部の拡大断面図である。
【図４】図１容器を一部切欠きして示す傾斜面である。
【符号の説明】
１…容器本体        ４…肩部
８…第１嵌合筒      11…肩カバー
21…袴              24…第２嵌合筒
【図１】
0003781921.tif 000002
【図２】
0003781921.tif 000003
【図３】
0003781921.tif 000004
【図４】
0003781921.tif 000005